(57)【要約】  通信リンクを通して電源装置から電力を受取るための受電側機器は、検出または分類モードにおいて電源装置によって提供された電力に応答して、電源装置が検出または分類モードで動作できるようにする動作サポート回路素子と、検出または分類モードにおいて供給された電力の少なくとも一部によって電力を供給されるために構成された補助回路素子とを有する。
2008529461.tif 000002
【特許請求の範囲】
【請求項１】
通信リンクを通して電源装置から供給された電力を受取るための受電側機器であって、
検出または分類モードにおいて電源装置によって提供された電力に応答して、電源装置が検出または分類モードで動作できるようにする動作サポート回路素子と、
検出または分類モードにおいて供給された電力の少なくとも一部によって電力を供給されるために構成された補助回路素子とを備える、機器。
【請求項２】
パワーオーバーイーサネット（登録商標）（ＰｏＥ）システムにおいて電源装置から電力を受取るための受電側機器であって、
分類モードにおいて電源装置によって提供された分類電力に応答して、電源装置が受電側機器の電力要件を判断できるようにする分類サポート回路素子と、
分類電力の少なくとも一部によって電力を供給されるために構成された補助回路素子とを備える、機器。
【請求項３】
分類電力に応答して、補助回路素子の電源を提供するための分類電源回路素子をさらに備える、請求項２に記載の機器。
【請求項４】
分類電源回路素子はサンプルアンドホールド回路を備える、請求項３に記載の機器。
【請求項５】
サンプルアンドホールド回路は、蓄積された電力を補助回路素子に供給するために分類モード中に充電される電力蓄積回路を備える、請求項４に記載の機器。
【請求項６】
電力蓄積回路は、分類電力の源に接続可能な、予め定められた期間中充電するためのキャパシタを含む、請求項５に記載の機器。
【請求項７】
分類電源回路素子は、分類モードにおいて動作するために受電側機器によって必要とされるしきい値レベルを分類信号が上回っているかどうかを判断するためのしきい値検出器を含む、請求項５に記載の機器。
【請求項８】
サンプルアンドホールド回路は、分類電力の源に接続可能な、分類信号がしきい値レベルを上回る場合に充電するためのキャパシタを含む、請求項７に記載の機器。
【請求項９】
補助回路素子は、さまざまな電力消費レベルを有する多数の補助回路を含む、請求項４に記載の機器。
【請求項１０】
分類電源回路素子は、サンプルアンドホールド回路を制御するための論理回路を含む、請求項９に記載の機器。
【請求項１１】
論理回路は、利用可能な分類電力によって電力を供給されるべき補助回路を選択するために構成されている、請求項１０に記載の機器。
【請求項１２】
分類サポート回路素子は、受電側機器の電力要件に対応する分類電流を提供するための制御可能な分類電流源を備える、請求項１１に記載の機器。
【請求項１３】
論理回路は、制御可能な分類電流源を制御するために構成されている、請求項１２に記載の機器。
【請求項１４】
パワーオーバーイーサネット（登録商標）システムにおいて電源装置から電力を受取るための受電側機器であって、
検出モードにおいて電源装置によって供給された検出電力に応答して、電源装置が受電側機器を検出できるようにするための検出サポート回路素子と、
検出電力の少なくとも一部によって電力を供給されるために構成された補助回路素子とを備える、機器。
【請求項１５】
検出サポート回路素子は、有効な検出シグネチャを電源装置に提供するためのシグネチャ抵抗を含む、請求項１４に記載の機器。
【請求項１６】
補助回路素子は、有効な検出シグネチャを提供するよう構成されている、請求項１４に記載の機器。
【請求項１７】
パワーオーバーイーサネット（登録商標）システムにおいて受電側機器を分類する方法であって、
分類モードにおいて電源装置から供給された電力に応答して、受電側機器のある特定のクラスを表わす分類電流を提供するステップと、
補助回路素子の動作をサポートするために、分類モードにおいて受取られた電力の少なくとも一部を供給するステップとを備える、方法。
【請求項１８】
分類モードにおいて供給された電力は、ある予め定められた期間の間蓄積される、請求項１７に記載の方法。
【請求項１９】
分類電流は、予め定められた時間間隔の後で提示される、請求項１８に記載の方法。
【請求項２０】
分類モードにおいて受電側機器によって引き込まれた分類電流が、受電側機器の特定のクラスを提示するために必要とされるしきい値レベルをいつ上回ったかを判断するステップをさらに備える、請求項１７に記載の方法。
【請求項２１】
分類電流がしきい値レベルを上回る場合、分類モードにおいて供給された電力は、補助回路素子に電力を供給するために蓄積される、請求項２０に記載の方法。
【発明の詳細な説明】
【技術分野】
【０００１】
本願は、２００５年１月２５日に出願され、「進んだパワーオーバーイーサネット（登録商標）システムをサポートするためのシステムおよび方法（System And Method For Supporting Advanced Power Over Ethernet（登録商標）System）」と題された米国仮特許出願第６０／６４６，５０９号の優先権を主張する。
【０００２】
技術分野
この開示は電源システムに関し、より特定的には、検出手順および分類手順中に通信リンクを通して受電する機器に送出される電力を利用するための回路および方法論に関する。
【背景技術】
【０００３】
ここ数年にわたり、イーサネット（登録商標）は、最も一般的に用いられるローカルエリアネットワーキングのための方法となってきている。イーサネット（登録商標）規格の創始者であるＩＥＥＥ８０２．３グループは、イーサネット（登録商標）ケーブリングを通した電力供給を規定する、ＩＥＥＥ８０２．３ａｆとして公知である拡張された規格を開発した。ＩＥＥＥ８０２．３ａｆ規格は、アンシールドツイストペア線を通してリンクの両端に位置する給電側機器（Power Sourcing Equipment）（ＰＳＥ）から受電側機器（Powered Device）（ＰＤ）へ電力を送出することを伴うパワーオーバーイーサネット（登録商標）（ＰｏＥ）システムを規定する。伝統的に、ＩＰ電話、無線ＬＡＮアクセスポイント、パーソナルコンピュータおよびウェブカメラなどのネットワーク装置は、２つの接続を必要としてきた。１つはＬＡＮへの、もう１つは電源システムへの接続である。ＰｏＥシステムは、ネットワーク装置に電力を供給するための付加的なコンセントおよび配線の必要性をなくす。代わりに電力は、データ伝送に用いられるイーサネット（登録商標）ケーブリングを通して供給される。
【０００４】
ＩＥＥＥ８０２．３ａｆ規格に規定されるように、ＰＳＥおよびＰＤは、ネットワーク装置が、データ伝送に用いられるのと同じ汎用ケーブリングを用いて電力を供給し、引き込むことを可能にする、非データエンティティである。ＰＳＥは、ケーブリングへの物理的接続ポイントにおいて電気的に特定される、リンクに電力を与える機器である。ＰＳＥは典型的にはイーサネット（登録商標）スイッチ、ルータ、ハブ、または他のネットワークスイッチング機器もしくはミッドスパン装置に関連付けられる。ＰＤは、電力を引き込むかまたは電力を要求する装置である。ＰＤは、デジタルＩＰ電話、無線ネットワークアクセスポイント、ＰＤＡまたはノート型コンピュータドッキングステーション、携帯電話チャージャ、およびＨＶＡＣサーモスタットなどの装置に関連付けられ得る。
【０００５】
ＰＳＥの主な機能は、電力を要求しているＰＤを検出すること、任意でＰＤを分類すること、ＰＤが検出されるとリンクに電力を供給すること、リンク上の電力をモニタすること、および、電力がもはや要求されず、または必要とされなくなると、電力を切断することである。検出モードでは、ＰＤは、電力を要求するために有効または無効検出シグネチャを提示する。ＰＤ検出シグネチャは、ＰＳＥによって測定される電気的特性を有する。
【発明の開示】
【発明が解決しようとする課題】
【０００６】
検出シグナチャが有効な場合、ＰＤは、電源が入った時にどれだけの電力を引き込むかを示すために、分類モードで動作するオプションを有する。ＰＤはクラス０からクラス４まで分類され得る。クラス１のＰＤはＰＳＥが少なくとも４．０Ｗを供給することを必要
とし、クラス２のＰＤはＰＳＥが少なくとも７．０Ｗを供給することを必要とし、クラス０、３または４のＰＤは少なくとも１５．４Ｗを必要とする。判断されたＰＤのクラスに基づいて、ＰＳＥは必要な電力をＰＤに加える。
【０００７】
検出モードおよび分類モード中、ＰＳＥは、ＰＤの検出シグネチャおよび分類シグネチャを判断するために、ＩＥＥＥ８０２．３ａｆ規格によって定められた検出電圧および分類電圧を印加する。ＰＤの他の機能をサポートするために、検出モードおよび分類モード中にＰＳＥによって供給された電力を利用するための回路および方法論を提供することが望ましい。
【課題を解決するための手段】
【０００８】
開示の概要
この開示は、通信リンクを通して電力を提供するための新規な回路および方法論を提供する。この開示の一局面によれば、通信リンクを通して電源装置から電力を受取るための受電側機器は、検出または分類モードにおいて電源装置によって提供された電力に応答して、電源装置が検出または分類モードで動作できるようにする動作サポート回路素子と、検出または分類モードにおいて供給された電力の少なくとも一部によって電力を供給されるために構成された補助回路素子とを含む。なお、電源装置は、ＰＳＥ、ミッドスパン、パワーインジェクタ、または任意の他の電力供給用装置を含んでいてもよい。
【０００９】
この開示の一実施例によれば、パワーオーバーイーサネット（登録商標）システムにおいて電源装置から電力を受取るための受電側機器は、分類モードにおいて電源装置によって提供された分類電力に応答して、電源装置が受電側機器の電力要件を判断できるようにする分類サポート回路素子と、分類電力の少なくとも一部によって電力を供給されるために構成された補助回路素子とを備える。
【００１０】
受電側機器は、分類電力に応答して、補助回路素子の電源を提供するための分類電源回路素子を含んでいてもよい。たとえば、分類電源回路素子は、蓄積された電力を補助回路素子に供給するために分類モード中に充電される電力蓄積回路を有するサンプルアンドホールド回路を備えていてもよい。
【００１１】
電力蓄積回路は、分類電力の源に接続可能な、予め定められた期間中充電するためのキャパシタを含んでいてもよい。この期間の満了後、キャパシタは、ある選択されたクラス用の分類電流が提供可能となるよう、分類電力の源から切断される。
【００１２】
また、これに代えて、ある特定のクラスについて有効な分類シグネチャを提示するために必要とされるしきい値レベルを、受電側機器によって提供された分類信号が上回っているかどうかを判断するために、しきい値検出器が設けられてもよい。分類信号がしきい値レベルを上回る場合、キャパシタは充電のために分類電力の源に接続されてもよい。
【００１３】
補助回路素子は、さまざまな電力消費レベルを有する多数の補助回路を含んでいてもよい。利用可能な分類電力レベルによって電力を供給され得る補助回路を選択するために、論理回路が設けられてもよい。
【００１４】
論理回路はまた、サンプルアンドホールド回路におけるキャパシタの充電および放電を制御してもよく、選択されたクラスに対応する分類電流を提供するよう分類電流源を制御してもよい。
【００１５】
この開示の一方法によれば、パワーオーバーイーサネット（登録商標）システムにおいて受電側機器を分類するために、
分類モードにおいて電源装置から供給された電力に応答して、受電側機器のある特定のクラスを表わす分類電流を提供するステップと、
補助回路素子の動作をサポートするために、分類モードにおいて受取られた電力の少なくとも一部を供給するステップとが実行される。
【００１６】
分類モードにおいて供給された電力は、ある予め定められた期間の間蓄積され、補助回路素子に電力を供給するために使用されてもよい。予め定められた時間間隔の後で、分類電流が提示されてもよい。
【００１７】
また、これに代えて、分類モードにおいて受電側機器によって引き込まれた分類電流が、ある特定のクラスについて有効な分類シグネチャを提示するために必要とされるしきい値レベルを上回る場合、分類モードにおいて供給された電力は、補助回路素子に電力を供給するために蓄積されてもよい。
【００１８】
この開示の別の局面によれば、パワーオーバーイーサネット（登録商標）システムにおいて電源装置から電力を受取るための受電側機器は、検出モードにおいて電源装置によって供給された検出電力に応答して、電源装置が受電側機器を検出できるようにするための検出サポート回路素子と、検出電力の少なくとも一部によって電力を供給されるよう構成された補助回路素子とを備える。
【００１９】
検出サポート回路素子は、有効な検出シグネチャを電源装置に提供するためのシグネチャ抵抗を含んでいてもよい。また、これに代えて、シグネチャ抵抗をなくしてもよく、補助回路素子は、有効な検出シグネチャを提供するよう構成されてもよい。
【００２０】
この開示の付加的な利点および局面は、以下の詳細な説明から当業者には容易に明らかになるであろう。詳細な説明では、この開示の実践のために考察された最良の形態の単なる例示として、この開示の実施例が示され、説明される。説明されるように、この開示は他のおよび異なる実施例が可能であり、そのいくつかの詳細は、開示の精神から逸脱することなく、さまざまな明白な点において修正される余地がある。したがって、図面および説明はその性質上限定的なものではなく、例示的なものであるとみなされるべきである。
【００２１】
この開示の実施例の以下の詳細な説明は、以下の図面に関連して読むと最良に理解され得る。図中、形状構成は必ずしも縮尺通りに描かれてはいないが、関連する形状構成を最良に図示するよう描かれる。
【発明を実施するための最良の形態】
【００２２】
実施例の詳細な開示
この開示は、パワーオーバーイーサネット（登録商標）（ＰｏＥ）システムの例を用いて行われる。しかしながら、ここに説明される概念が、通信リンクを通して電力を供給するためのいかなるシステムにも適用可能であることは、明らかになるであろう。たとえば、この開示のシステムは、複数のノードと、ネットワークハブと、ノードをネットワークハブに接続してデータ通信を提供するための通信ケーブリングとを有するローカルエリアネットワーク（ＬＡＮ）において利用されてもよい。ネットワークハブは電源装置を含んでもよく、電源装置から受電側機器に電力を供給するために通信ケーブリングが利用されてもよい。
【００２３】
図１は、ＰｏＥシステム１０を示す簡略ブロック図であり、ＰｏＥシステム１０は、イーサネット（登録商標）ケーブル内の２組または４組のツイストペアを用いて各々与えられ得るそれぞれのリンクを介して受電側機器（ＰＤ）１〜４に接続可能な多数のポート１〜４を有する給電側機器（ＰＳＥ）１２を含む。図１はＰＳＥ１２の４つのポートを示し
ているが、当業者であれば、任意の数のポートが設けられてもよいことを理解するであろう。
【００２４】
ＰＳＥ１２は、ＩＥＥＥ８０２．３ａｆ規格に従って各ＰＤと相互作用してもよい。特に、ＰＳＥ１２およびＰＤはＰＤ検出手順に加わり、その間、ＰＳＥ１２はＰＤを検出するためにリンクを探査する。ＰＤが検出されると、ＰＳＥ１２は、それが有効か無効かを判断するためにＰＤ検出シグネチャをチェックする。有効および無効検出シグネチャは、ＩＥＥＥ８０２．３ａｆ規格で規定されている。有効ＰＤ検出シグネチャは、ＰＤが電力を受取る状態にあることを示す一方、無効ＰＤ検出シグネチャは、ＰＤが電力を受取らない状態にあることを示す。
【００２５】
シグネチャが有効な場合、ＰＤは、電力が入った時にどれだけの電力を引き込むかを示すために、分類シグネチャをＰＳＥに提示するオプションを有する。たとえば、ＰＤはクラス０からクラス４まで分類され得る。クラス１のＰＤはＰＳＥが少なくとも４．０Ｗを供給することを必要とし、クラス２のＰＤはＰＳＥが少なくとも７．０Ｗを供給することを必要とし、クラス０、３または４のＰＤは少なくとも１５．４Ｗを必要とする。判断されたＰＤのクラスに基づいて、ＰＳＥは必要な電力をＰＤに加える。
【００２６】
図２は、ＩＥＥＥ８０２．３ａｆ規格に従った、検出モードをサポートするために提供されるＰＤの従来の検出回路素子を示す。検出モードで、ＰＳＥ１２は、それぞれのリンクを介し、そのリンクに接続されたＰＤを検出するために印加される検出電圧Ｖｄｅｔを生成する。たとえば、検出電圧Ｖｄｅｔは２．７Ｖ〜１０．１Ｖの範囲にあってもよい。ＰＤのシグネチャ抵抗を検出するために、２つ以上のテストがＰＳＥによって実行されてもよい。各テストにつき、ＰＳＥは検出電圧Ｖｄｅｔを生成する。異なる検出テスト用に生成された検出電圧Ｖｄｅｔ同士の間の最小電圧差は、１Ｖである。
【００２７】
検出電圧Ｖｄｅｔに対応する入力電圧ＶINが、ＰＤシグネチャ抵抗Ｒ１を含むＰＤの検出回路素子に印加される。ＰＳＥは、印加された検出電圧Ｖｄｅｔに応答して生成された電流Ｉｒｅｓを求める。ＰＤのシグネチャ抵抗Ｒ１は、
【００２８】
【数１】
2008529461.tif 000003
【００２９】
として求められ、式中、ΔＶｄｅｔは異なるテストでの検出電圧間の差であり、ΔＩｒｅｓはそれぞれの検出電圧に応答して生成された電流間の差である。
【００３０】
有効となるには、シグネチャ抵抗Ｒ１は、予め規定された範囲内になければならない。たとえば、ＩＥＥＥ８０２．３ａｆ規格に準拠したＰＤについては、シグネチャ抵抗は１９Ｋオーム〜２６．５Ｋオームの範囲内になければならない。
【００３１】
シグネチャ抵抗が有効であるとＰＳＥが判断した場合、それは、ＰＤの電力要件を判断するために分類モードに切換わってもよい。図３は、分類モードをサポートするために提供されるＰＤの従来の分類回路素子を示す。ＩＥＥＥ８０２．３ａｆ規格に従い、分類モードでは、ＰＳＥは１４．５Ｖ〜２０．５Ｖの範囲にある分類電圧Ｖｃｌａｓｓをそれぞれのリンクを介して印加する。分類電圧Ｖｃｌａｓｓに対応する入力電圧ＶINが、分類電流源３０を有するＰＤの分類回路素子の入力に印加される。
【００３２】
これに応答して、分類回路素子の電流源３０は、ＰＤのクラスを示す分類電流Ｉｃｌａｓｓを提示する。たとえば、ＩＥＥＥ８０２．３ａｆ規格に従って、クラス０用の分類電
流は０ｍＡ〜４ｍＡであってもよく、クラス１用の分類電流は９ｍＡ〜１２ｍＡであってもよく、クラス２用の分類電流は１７ｍＡ〜２０ｍＡであってもよく、クラス３用の分類電流は２６ｍＡ〜３０ｍＡであってもよく、クラス４用の分類電流は３６ｍＡ〜４４ｍＡであってもよい。ＰＳＥは、ＰＤのクラスを判断するためにＰＤの分類電流を測定する。
【００３３】
従来の検出回路素子および分類回路素子は、検出モードおよび分類モードにおいてＰＳＥにより提供された電力を、検出手順および分類手順を実行するためだけに利用している。しかしながら、この電力をＰＤの他の機能をサポートするために利用することが望ましい。
【００３４】
図４は、この開示に従ったＰＤの検出回路素子を示す。この回路素子では、ＰＳＥにより印加された検出電圧Ｖｄｅｔに応答して引き込まれた入力電流ＶINが、電流Ｉ１と電流Ｉ２に分けられる。第１の電流Ｉ１は検出手順をサポートし、一方、第２の電流Ｉ２は補助回路４０に提供されてその動作をサポートする。たとえば、回路４０は、基準を提供し、機能をサポートするための微小電力デジタル回路素子または低電力回路素子であってもよい。回路４０は、ＰＤに組み込まれていてもよく、またはＰＤに対して外部に設けられていてもよい。回路４０の入力インピーダンスは、検出手順をサポートするために十分な電流Ｉ１を提供するよう、シグネチャ抵抗器Ｒ１の値に対して選択される。
【００３５】
また、これに代えて、検出電力の全値が補助回路４０に送出され得るよう、シグネチャ抵抗器をなくしてもよい。この場合、補助回路の入力インピーダンスは、ＩＥＥＥ８０２．３ａｆ検出シグネチャ要件により定められた検出シグネチャ値を提供するよう選択される。
【００３６】
図５は、この開示に従ったＰＤの分類回路素子を示す。この回路素子では、分類電流を、分類手順を提供するために使用される電流Ｉ１と、補助回路素子５２に供給されてその動作をサポートする電流Ｉ２とに分けるように、分類電流源５０が補助回路素子５２に接続されている。回路素子５２は、ＰＤに組み込まれていてもよく、またはＰＤに対して外部に設けられていてもよい。電流Ｉ１は、選択されたクラスについて少なくとも最小限の所定の分類電流を提示するのに十分なレベルに保たれる。たとえば、ＩＥＥＥ８０２．３ａｆ規格に準拠した分類手順に従って動作するには、電流Ｉ１は少なくとも、クラス１については９ｍＡ、クラス２については１７ｍＡ、クラス３については２６ｍＡ、およびクラス４については３６ｍＡでなければならない。クラス０については、分類電流の全値が補助回路素子５２に供給されてもよい。
【００３７】
図６は、この開示に従ったＰＤの分類回路素子の例示的な一実施例を示す。さまざまな電力消費レベルを有するｎ個の補助回路１、２、…、Ｎのどれにも分類電力の少なくとも一部を提供可能なこの分類回路素子は、分類動作を制御するための制御論理回路６２と、ＰＤのある選択されたクラス用の分類電流を提供するための制御可能な分類電流源６４と、スイッチ６６およびキャパシタ６８を含むサンプルアンドホールド回路とを含んでいる。たとえば、スイッチ６６としてＭＯＳＦＥＴが使用されてもよい。補助回路は、ＰＤに組み込まれていてもよく、またはＰＤに対して外部に設けられていてもよい。
【００３８】
分類手順の最初に、それぞれのＰＳＥから供給された分類電圧Ｖｃｌａｓｓに応答して、入力電圧ＶINが分類回路に印加される。ＰＤのクラスを選択するよう予めプログラミングされた制御論理回路６２は、その選択されたクラスに対応する分類電流を提供するよう、制御可能な分類電流源６４を制御する。
【００３９】
入力電圧ＶINが分類回路に印加されると、制御論理回路６２は、キャパシタ６８を充電するために入力電圧ＶINをキャパシタ６８に印加するよう、スイッチ６６を制御してもよ
い。たとえば、ＩＥＥＥ８０２．３ａｆ規格に従って、ＰＤは、安定した分類シグネチャを提供するために５ｍｓを有する。したがって、入力電圧ＶINが印加されると、制御論理６２はキャパシタ６８を４ｍｓの間充電し、次にキャパシタ６８を入力電圧ＶINから切断して、分類電流源６４が安定した分類シグネチャを提供できるようにしてもよい。
【００４０】
キャパシタ６８が分類電力源から切断されると、キャパシタ６８に接続された補助回路１、２、…、Ｎに電力を提供するために、蓄積された電荷が使用されてもよい。選択されたクラスおよび分類電流のそれぞれの値に基づいて、制御論理回路６２は、利用可能な分類電力によって電力を供給され得る補助回路を選択してもよい。選択された補助回路がキャパシタ６８から電力を受取れるよう、制御論理回路６２とｎ個の補助回路１、２、…、Ｎとの間に、ｎ線式イネーブリングバスＥｎが設けられてもよい。たとえば、限定された期間、ＰＤから電力が取除かれた場合、補助回路がＰＤに情報を保持するためのメモリ機能を提供してもよい。
【００４１】
また、これに代えて、分類手順の最初に、キャパシタ６８が分類電力源から切断されてもよい。制御論理回路６２は、分類手順中にＰＤによって引き込まれた電流が、ある選択されたクラスについて分類シグネチャを提示するために必要とされるしきい値レベルをいつ上回ったかを判断するしきい値検出器を含んでいてもよい。ある選択されたクラスについて必要とされる最小分類電流に対応し得るしきい値レベルを、引き込まれた電流が上回る場合、制御論理回路６２は、キャパシタ６８を入力電圧ＶINに接続して分類電力源からこのキャパシタを充電するよう、スイッチ６６を制御する。制御論理回路６２によって選択された補助回路に電力を供給するために、蓄積された電荷が使用されてもよい。
【００４２】
前述の説明は、本発明の局面を例示し、説明する。加えて、この開示は単なる好ましい実施例を示し、説明しているが、前述のように、本発明は、さまざまな他の組合わせ、修正および環境において使用可能であること、ならびに、ここに表現されるような発明の概念の範囲内における、上述の教示、および／または関連技術の技能もしくは知識に対応した変更または修正が可能であることが理解されるべきである。
【００４３】
上述の実施例はさらに、本発明の実践について知られる最良の形態を説明するよう意図されており、また、他の当業者が本発明をこのようなまたは他の実施例において、本発明の特定の用途または使用によって必要とされるさまざまな修正を伴って利用できるようにするよう意図されている。
【００４４】
したがって、この説明は、本発明をここに開示された形式に限定するよう意図されてはいない。また、添付された請求項は、代替的な実施例を含むよう解釈されることが意図される。
【図面の簡単な説明】
【００４５】
【図１】この開示のパワーオーバーイーサネット（登録商標）システムを示す図である。
【図２】受電側機器（ＰＤ）の従来の検出回路素子を示す図である。
【図３】ＰＤの従来の分類回路素子を示す図である。
【図４】この開示に従ったＰＤの検出回路素子を示す図である。
【図５】この開示に従ったＰＤの分類回路素子を示す図である。
【図６】この開示に従った分類回路素子の例示的な一実施例を示す図である。
【図１】
2008529461.tif 000004
【図２】
2008529461.tif 000005
【図３】
2008529461.tif 000006
【図４】
2008529461.tif 000007
【図５】
2008529461.tif 000008
【図６】
2008529461.tif 000009
【国際調査報告】
2008529461.tif 000010
2008529461.tif 000011